(57)【要約】【課題】回転ブラシに髪の毛や糸くずが絡み付くことなく絨毯等からごみを掻き取ることができると共に、回転ブラシにより床面を磨き上げることができる電気掃除機を提供することを課題とする。【解決手段】下面に吸込口３を有する吸込具ケース２の内部に、吸込口３に臨ませて回転ブラシ４を収納した構造の床用吸込具１を備えた電気掃除機において、前記回転ブラシ４は、芯体７と芯体７の外周に配設されるブラシ体８とから構成され、ブラシ体８は、床面への接地部をフェルトで構成する。【選択図】          図２
2005013525.tif 000002
【特許請求の範囲】
【請求項１】
下面に吸込口を有する吸込具ケースの内部に、吸込口に臨ませて回転ブラシを収納した構造の床用吸込具を備えた電気掃除機において、前記回転ブラシは、芯体と芯体の外周に配設されるブラシ体とから構成され、ブラシ体は、床面への接地部がフェルトで構成されていることを特徴とする電気掃除機。
【請求項２】
前記ブラシ体は、根元部が塩化ビニルで形成されると共に、床面へ接地する先端部がフェルトで形成されていることを特徴とする請求項１記載の電気掃除機。
【請求項３】
前記ブラシ体は、回転ブラシの回転方向の前方が先端部側になるように先端部と根元部との一部を重ね合わせ、重ね合わせ部を縫製することにより根元部と先端部とは一体化されていることを特徴とする請求項２記載の電気掃除機。
【請求項４】
前記ブラシ体は、ブラシ体の根元部の、回転ブラシの回転方向に対して前後両側に先端部を配設し、根元部とその両側の先端部とは縫製により一体化されていることを特徴とする請求項２記載の電気掃除機。
【請求項５】
前記ブラシ体は、根元部と先端部とは成型により一体化されていることを特徴とする請求項２記載の電気掃除機。
【請求項６】
前記回転ブラシは、フェルト製のブラシ体と塩化ビニル製のブラシ体とからなるブラシ群を少なくとも一組有し、ブラシ群は、回転ブラシの回転方向に沿ってフェルト製のブラシ体と塩化ビニル製のブラシ体との順に近接して配設され、塩化ビニル製のブラシ体の芯体から床面方向への長さを短く形成したことを特徴とする請求項１記載の電気掃除機。
【請求項７】
前記ブラシ体は、非円形のフェルト片を芯体に固定することにより構成されていることを特徴とする請求項１記載の電気掃除機。
【請求項８】
前記ブラシ体は、芯体の軸心方向に所定幅を有する複数枚のフェルト片で構成されると共に、隣り合うフェルト片同士の位相をずらせ、各フェルト片が全て同時に床面に接地しないように構成したことを特徴とする請求項７記載の電気掃除機。
【請求項９】
前記フェルト片は楕円形状に形成され、隣り合うフェルト片をお互い略９０度回転させた状態で芯体に固定されていることを特徴とする請求項８記載の電気掃除機。
【請求項１０】
前記フェルト片は楕円形状に形成され、隣り合うフェルト片の長径上の外周縁部を所定位相づつずらした状態で芯体に固定されていることを特徴とする請求項８記載の電気掃除機。
【請求項１１】
前記回転ブラシを一方向から見たとき、複数のフェルト片からなるブラシ体の平面形状がハの字状になるように芯体の軸心に対してフェルト片は傾斜して固定されていることを特徴とする請求項７記載の電気掃除機。
【発明の詳細な説明】
【０００１】
【発明の属する技術分野】
本発明は、床用吸込具を有する電気掃除機に関し、特に、回転ブラシを有する電気掃除機に関する。
【０００２】
【従来の技術】
従来、電気掃除機の床用吸込具は、毛のブラシが設けられた回転ブラシを備えており、絨毯を掃除する際には回転ブラシを回転させることにより絨毯のごみを掻き取り、掻き取ったごみを吸引することで効率的に掃除ができるようになされている。（例えば、特許文献１参照）
【０００３】
【特許文献１】
特開２００２−３４５６９９号公報（図１）
【０００４】
【発明が解決しようとする課題】
しかしながら、回転ブラシを回転させて絨毯等を掃除すると、絨毯等に付着していた髪の毛や糸くず等の細長いごみが回転ブラシに絡み付いてしまう。回転ブラシに髪の毛や糸くずが絡み付いてしまうと、簡単には取り外すことはできず、回転ブラシに絡み付いた髪の毛や糸くずを取り外す手間が煩わしくなる欠点があった。
【０００５】
また、床面がクレヨン等の落書きにより汚れている場合には、毛のブラシを有する回転ブラシを回転させただけでは床面の汚れを取り除くことができず、回転ブラシでは床面を磨き上げることはできないという問題があった。
【０００６】
本発明は、このような課題を解決するためになされたものであり、回転ブラシに髪の毛や糸くずが絡み付くことなく絨毯等からごみを掻き取ることができると共に、回転ブラシにより床面を磨き上げることができる電気掃除機を提供することを課題とする。
【０００７】
【課題を解決するための手段】
上記課題を解決するための第１の手段は、下面に吸込口を有する吸込具ケースの内部に、吸込口に臨ませて回転ブラシを収納した構造の床用吸込具を備えた電気掃除機において、前記回転ブラシは、芯体と芯体の外周に配設されるブラシ体とから構成され、ブラシ体は、床面への接地部がフェルトで構成されていることを特徴とする。
【０００８】
上記課題を解決するための第１の手段において、前記ブラシ体は、根元部が塩化ビニルで形成されると共に、床面へ接地する先端部がフェルトで形成してもよい。
【０００９】
上記課題を解決するための第１の手段において、前記ブラシ体は、回転ブラシの回転方向の前方が先端部側になるように先端部と根元部との一部を重ね合わせ、重ね合わせ部を縫製することにより根元部と先端部とを一体化してもよい。
【００１０】
上記課題を解決するための第１の手段において、前記ブラシ体は、ブラシ体の根元部の、回転ブラシの回転方向に対して前後両側に先端部を配設し、根元部とその両側の先端部とを縫製により一体化してもよい。
【００１１】
上記課題を解決するための第１の手段において、前記ブラシ体は、根元部と先端部とは成型により一体化してもよい。
【００１２】
上記課題を解決するための第１の手段において、前記回転ブラシは、フェルト製のブラシ体と塩化ビニル製のブラシ体とからなるブラシ群を少なくとも一組有し、ブラシ群は、回転ブラシの回転方向に沿ってフェルト製のブラシ体と塩化ビニル製のブラシ体との順に近接して配設され、塩化ビニル製のブラシ体の芯体から床面方向への長さを短く形成してもよい。
【００１３】
上記課題を解決するための第１の手段において、前記ブラシ体は、非円形のフェルト片を芯体に固定することにより構成してもよい。
上記課題を解決するための第１の手段において、前記ブラシ体は、芯体の軸心方向に所定幅を有する複数枚のフェルト片で構成されると共に、隣り合うフェルト片同士の位相をずらせ、各フェルト片が全て同時に床面に接地しないように構成してもよい。
【００１４】
上記課題を解決するための第１の手段において、前記フェルト片は楕円形状に形成され、隣り合うフェルト片をお互い略９０度回転させた状態で芯体に固定してもよい。
【００１５】
上記課題を解決するための第１の手段において、前記フェルト片は楕円形状に形成され、隣り合うフェルト片の長径上の外周縁部を所定位相づつずらした状態で芯体に固定してもよい。
【００１６】
上記課題を解決するための第１の手段において、前記回転ブラシを一方向から見たとき、複数のフェルト片からなるブラシ体の平面形状がハの字状になるように芯体の軸心に対してフェルト片は傾斜して固定してもよい。
【００１７】
【発明の実施の形態】
（第１実施形態）
本発明に係る電気掃除機の第１実施形態を図１乃至図５に基づいて説明する。
【００１８】
第１実施形態の電気掃除機の床用吸込具１は、上ケース２ａと下ケース２ｂからなって吸込口３が下方に形成された横長の吸込具ケース２と、吸込具ケース２の吸込口３に臨ませて吸込具ケース２に回転自在に支持され、一方向に回転する回転ブラシ４と、吸込具ケース２の前壁を構成すると共に吸込口３の前側部分（図２の左側）を開閉するカバー５と、吸込具ケース２の後面側に上下自在に且つ回転自在に取付けられ、吸込口３に連通するベンド６とから構成されている（図１、図２参照）。そして、ベンド６が図示しない延長管やホースを介して掃除機本体に接続されるようになっている。
【００１９】
回転ブラシ４は、その芯体７の外周面に複数本の帯状のブラシ体８が芯体７の軸方向に螺旋状に装着されている（図３、図４参照）。ブラシ体８は、床面に接地しない根元部９が塩化ビニルで形成されると共に、床面に接地する先端部１０がフェルトで形成されている。そして、回転ブラシ４の回転方向の前方が先端部１０になるように先端部１０と根元部９との一部を重ね合わせ、重ね合わせ部を縫製することにより根元部９と先端部１０とを一体化してブラシ体８を構成している。
【００２０】
そして、ブラシ体８は、根元部９の基部１１を芯体７の外周面に形成した溝１２に嵌め込むことで装着できるようになっている（図２、図３参照）。また、回転ブラシ４は、吸込具ケース２に内蔵された図示しない電動モータにより、その駆動力が伝動ベルト等を介して伝達されて一方向に回転駆動する。この回転ブラシ４が回転することで床面のごみが掻き取られ、吸込口３から効果的に吸込まれることにより効率よく掃除できる。
【００２１】
回転ブラシ４に近接してその前方部分を覆うように位置するカバー５は、その長手方向の両端側に図示しないアーム部が一体形成され、このアーム部によって吸込具ケース２の両端部内側に回動自在に軸支されている。また、カバー５には、吸込具ケース２前端が壁面に当たった時にカバー５を上方向に回動させ、吸込口３の前方部を開放させるように作動するローラ１３が装着されている。ローラ１３は、その両端部を軸受部１３ａ、１３ａにて回転自在に装着されている（図１、図２参照）。
【００２２】
また、カバー５は、図示しないがその回動軸に、カバー５を下方へ回動する方向へ付勢する付勢手段としての捻りバネが装着された構成となっている。従って、吸込具ケース２が壁面に当たらない所の床面掃除の時には、カバー５は吸込口３の前方部分を閉鎖し、下方部分のみが開口している。また、カバー５が開く時は、吸込具ケース２の内側に収納される構成となるように、上ケース２ａにはカバーを後端部から収納するための収納凹部１４が形成されている。
【００２３】
尚、ローラ１３は、吸込具ケース２の前面側が障害物に当たった場合のショック吸収というバンパーの役目を果たすものでもあるので、外周面が柔らかくて滑りやすい当接部材として、繊維質部材である起毛布によって覆われて形成されたものが好ましい。これであれば、壁面や家具などの傷付きを確実に防止できるようになると共に、極めてスムーズにカバー５を回動させることができる。また、起毛布によりローラ１３が壁面に当接した状態で横方向に掃除する場合の左右の動きもスムーズになるという点で有用となる。
【００２４】
絨毯等を掃除する際には回転ブラシ４を回転させることにより、絨毯等に付着しているごみを掻き取り、掻き取ったごみを吸込口３から吸引することで効果的に掃除ができる。しかしながら、従来の回転ブラシは、ブラシ体が毛で形成されていたため、絨毯等に付着していた髪の毛や糸くずが回転ブラシに絡み付いてしまうという問題があった。こうなってしまえば、回転ブラシに絡みつた髪の毛や糸くずを簡単に取り外すことはできず、回転ブラシに絡み付いた髪の毛や糸くずを取り外す作業が煩わしくなってしまう。
【００２５】
これに対して、第１実施形態では、ブラシ体８を、帯状の塩化ビニルからなる根元部９と帯状のフェルトからなる先端部１０とで構成しているため、絨毯等を掃除しても絨毯等に付着していた髪の毛や糸くずがブラシ体８に絡み付くことはない。また、コジが弱い帯状のフェルトだけでブラシ体を構成すれば、十分に絨毯等からごみを掻き取ることはできないが、ブラシ体８の根元部９はコシの強い塩化ビニルで構成されているため、フェルトからなる先端部１０のコシを塩化ビニルからなる根元部９により強くすることができ、十分に絨毯等からごみを掻き取ることができる。
【００２６】
また、ブラシ体８の根元部９を構成する塩化ビニルは、床面に接地しないため、塩化ビニルにより床面を傷つけるようなことはない。また、床面に接地するブラシ体８の先端部１０はフェルトで構成されているためフェルトにより床面を磨き上げることができ、床面がクレヨン等の落書きにより汚れている場合でも、回転ブラシ４を回転させるだけで床面を磨き上げることができる。
【００２７】
また、ブラシ体８の根元部９より回転ブラシ４の回転方向の前方にブラシ体８の先端部１０が位置するようになっているため、回転ブラシ４の回転によりブラシ体８の先端部１０には、根元部９側に向かって力が働く。この結果、ブラシ体８の先端部１０と根元部９との縫製が外れる方向には力が働かないため、先端部１０と根元部９との縫製が剥がれるのを防止することができる。
【００２８】
（第２実施形態）
図６及び図７は第２実施形態を示している。尚、第１実施形態と同一部品は同一符号を付して説明を省略する。第１実施形態では、根元部９の塩化ビニルと先端部１０のフェルトとを縫製により一体化してブラシ体８を構成したが、第２実施形態では、塩化ビニルからなる第１ブラシ体１５とフェルトからなる第２ブラシ体１６とを別々に芯体７ａに装着したブラシ群４組によりブラシ体８ａを構成している。
【００２９】
回転ブラシ４ａは第１実施形態と同様に一方向に回転する。塩化ビニルからなる第１ブラシ体１５は、芯体７ａから床面に接しない距離までの幅を有する帯状に形成され、その基部１１ａを芯体７ａの外周面に形成した溝１２ａに嵌め込むことで芯体７ａに装着されている。また、フェルトからなる第２ブラシ体１６は、芯体７ａから床面に接する距離までの幅を有する帯状に形成され、第１ブラシ体１５より回転ブラシ４ａの回転方向の前方で且つ第１ブラシ体１５に近接させて、その基部１１ｂを芯体７ａの外周面に形成した溝１２ｂに嵌め込むことで芯体７ａに装着されている。
【００３０】
第２実施形態はこのように構成されているため、絨毯等を掃除しても絨毯等に付着していた髪の毛や糸くずがブラシ体８ａに絡み付くことはない。また、コジが弱い帯状のフェルトからなる第２ブラシ体１６だけでは、十分に絨毯等からごみを掻き取ることはできないが、図６に示すようにコシの強い塩化ビニルからなる第１ブラシ体１５が第２ブラシ体１６のコシとなり、第２ブラシ体１６により十分に絨毯等からごみを掻き取ることができる。
【００３１】
また、第１ブラシ体１５を構成する塩化ビニルは、床面に接地しないため、塩化ビニルにより床面を傷つけるようなことはない。また、床面に接地する第２ブラシ体１６はフェルトで構成されているため第２ブラシ体１６により床面を磨き上げることができ、床面がクレヨン等の落書きにより汚れている場合でも、回転ブラシ４ａを回転させるだけで床面を磨き上げることができる。
【００３２】
また、第１ブラシ体１５と第２ブラシ体１６とを別々に構成しているため、床面に接地するために消耗が激しくなる第２ブラシ体１６を単独で交換することができ、交換する部品の費用を低減させることができる。
【００３３】
（第３実施形態）
図８及び図９は第３実施形態を示している。尚、第１実施形態及び第２実施形態と同一部品は同一符号を付して説明を省略する。第１実施形態では、１枚の塩化ビニルからなる根元部９と１枚のフェルトからなる先端部１０とを縫製により一体化してブラシ体８を構成したが、第３実施形態では、１枚の塩化ビニルからなる根元部９ｂの回転ブラシ４ｂの回転方向の前後位置に、フェルトからなる先端部１０ｂを各々配設し、根元部９ｂの両側を先端部１０ｂで挟んだ状態で根元部９ｂとその両側の先端部１０ｂとを縫製により一体化してブラシ体８ｂを構成している。
【００３４】
根元部９ｂは第１実施形態と同様に床面に接しない幅の帯状に形成されている。また、先端部１０ｂは第１実施形態と同様に帯状に形成され、床面に接地する位置に縫製により固定されている。
【００３５】
第３実施形態はこのように構成されているため、絨毯等を掃除しても絨毯等に付着していた髪の毛や糸くずがブラシ体８ｂに絡み付くことはない。また、コジが弱い帯状のフェルトからなる先端部１０ｂだけでは、十分に絨毯等からごみを掻き取ることはできないが、コシの強い塩化ビニルからなる根元部９ｂにより先端部１０ｂのコシを強くすることができ、十分に絨毯等からごみを掻き取ることができる。また、根元部９ｂを構成する塩化ビニルは、床面に接地しないため、塩化ビニルにより床面を傷つけるようなことはない。
【００３６】
また、床面に接地する先端部１０ｂはフェルトで構成されているため先端部１０ｂにより床面を磨き上げることができ、床面がクレヨン等の落書きにより汚れている場合でも、回転ブラシ４ｂを回転させるだけで床面を磨き上げることができる。また、根元部９ｂの回転ブラシ４ｂの回転方向の前後位置に先端部１０ｂが縫製されているため、回転ブラシ４ｂの正逆の回転方向に関係なく、第１実施形態及び第２実施形態と同様な作用効果を奏することができる。
【００３７】
（第４実施形態）
図１０及び図１１は第４実施形態を示している。尚、第１実施形態乃至第３実施形態と同一部品は同一符号を付して説明を省略する。第１実施形態では、１枚の塩化ビニルからなる根元部９と１枚のフェルトからなる先端部１０とを縫製により一体化してブラシ体８を構成したが、第４実施形態では、塩化ビニルからなる根元部９ｃとフェルトからなる先端部１０ｃとを成型により一体化してブラシ体８ｃを構成している。
【００３８】
根元部９ｃは第１実施形態と同様に床面に接しない幅の帯状に形成されている。また、先端部１０ｃは第１実施形態と同様に帯状に形成され、床面に接地する位置で根元部９ｃと成型により一体化されている。
【００３９】
第４実施形態はこのように構成されているため、絨毯等を掃除しても絨毯等に付着していた髪の毛や糸くずがブラシ体８ｃに絡み付くことはない。また、コシが弱い帯状のフェルトからなる先端部１０ｃだけでは、十分に絨毯等からごみを掻き取ることはできないが、コシが強い塩化ビニルからなる根元部９ｃにより先端部１０ｃのコシを強くすることができ、十分に絨毯等からごみを掻き取ることができる。また、根元部９ｃを構成する塩化ビニルは、床面に接地しないため、塩化ビニルにより床面を傷つけるようなことはない。
【００４０】
また、床面に接地する先端部１０ｃはフェルトで構成されているため先端部１０ｃにより床面を磨き上げることができ、床面がクレヨン等の落書きにより汚れている場合でも、回転ブラシ４ｃを回転させるだけで床面を磨き上げることができる。また、根元部９ｃと先端部１０ｃとは成型により一体化されているため、ブラシ体８ｃを簡単な構成により形成することができると共に、根元部９ｃと先端部１０ｃとの剥がれを確実に防止することができる。また、回転ブラシ４ｃの正逆の回転方向に関係なく、第１実施形態及び第２実施形態と同様な作用効果を奏することができる。
【００４１】
（第５実施形態）
図１２及び図１３は第５実施形態を示している。尚、第１実施形態乃至第４実施形態と同一部品は同一符号を付して説明を省略する。第１実施形態乃至第４実施形態では、ブラシ体の材質を塩化ビニルとフェルトとの２種類で構成したが、第５実施形態では、フェルトからなる複数枚のフェルト片１７によりブラシ体８ｄを構成している。
【００４２】
第５実施形態では、フェルト片１７は、芯体７ｄの軸心方向に所定幅を有する楕円形状に形成され、隣り合うフェルト片１７同士を９０度回転させた状態で芯体７ｄに圧入されて固定されている。そして、フェルト片１７の長径上の外周縁部が床面に接地するようになっている。
【００４３】
第５実施形態はこのように構成されているため、絨毯等を掃除しても絨毯等に付着していた髪の毛や糸くづがブラシ体８ｄに絡み付くことはない。また、帯状の状態ではコジが弱いフェルトを、所定幅を有する塊状のフェルト片１７にすることによりコシを強くすることができ、十分に絨毯等からごみを掻き取ることができる。
【００４４】
また、床面に接地する部分はフェルトであるためブラシ体８ｄにより床面を磨き上げることができ、床面がクレヨン等の落書きにより汚れている場合でも、回転ブラシ４ｄを回転させるだけで床面を磨き上げることができる。
【００４５】
また、隣り合うフェルト片１７同士を９０度回転させた位置関係であるため、同時に床面に接地するフェルト片１７の数を減少させることができ、フェルト片１７が床面に接地する際に発生する騒音を低減させることができると共に、回転ブラシ４ｄを回転させるモータの負荷も低減させることができる。また、回転ブラシ４ｄの正逆の回転方向に関係なく、第１実施形態及び第２実施形態と同様な作用効果を奏することができる。
【００４６】
尚、第５実施形態においては、フェルト片１７を楕円形状に形成したが、これに限定されるものではなく、例えば、花びら形状など全周全てが床面に接地しない非円形の形状であればよい。
【００４７】
（第６実施形態）
図１４及び図１５は第６実施形態を示している。尚、第１実施形態乃至第５実施形態と同一部品は同一符号を付して説明を省略する。第５実施形態では、ブラシ体８ｄは、所定幅を有する楕円形状のフェルト片１７を、隣り合うフェルト片１７同士を９０度回転させた状態で芯体７ｄに圧入することにより構成した。
【００４８】
第６実施形態では、ブラシ体８ｅは、所定幅を有する楕円形状のフェルト片１７を、隣り合うフェルト片１７の長径上の外周縁部を所定位相づつずらした状態で芯体７ｄに圧入することによりフェルト片１７の長径上の外周縁部を結ぶ仮想線が螺旋状になるように構成している。また、フェルト片１７の長径上の外周縁部が床面に接地するようになっている。
【００４９】
第６実施形態はこのように構成されているため、絨毯等を掃除しても絨毯等に付着していた髪の毛や糸くづがブラシ体８ｅに絡み付くことはない。また、帯状の状態ではコジが弱いフェルトを、所定幅を有する塊状のフェルト片１７にすることによりコシを強くすることができ、十分に絨毯等からごみを掻き取ることができる。
【００５０】
また、床面に接地する部分はフェルトであるためブラシ体８ｅにより床面を磨き上げることができ、床面がクレヨン等の落書きにより汚れている場合でも、回転ブラシ４ｅを回転させるだけで床面を磨き上げることができる。
また、隣り合うフェルト片１７は、所定位相づつずれた位置関係であるため、同時に床面に接地するフェルト片１７の数をさらに減少させることができ、フェルト片１７が床面に接地する際に発生する騒音をさらに低減させることができると共に、回転ブラシ４ｅを回転させるモータの負荷もさらに低減させることができる。また、回転ブラシ４ｅの正逆の回転方向に関係なく、第１実施形態及び第２実施形態と同様な作用効果を奏することができる。
【００５１】
尚、第６実施形態においては、フェルト片１７を楕円形状に形成したが、これに限定されるものではなく、例えば、花びら形状など全周全てが床面に接地しない、非円形の形状であればよい。
【００５２】
（第７実施形態）
図１６乃至図１８は第７実施形態を示している。尚、第１実施形態乃至第６実施形態と同一部品は同一符号を付して説明を省略する。第５実施形態では、ブラシ体８ｄは、所定幅を有する楕円形状のフェルト片１７を、隣り合うフェルト片１７同士を９０度回転させた状態で芯体７ｄに圧入することにより構成した。
【００５３】
第７実施形態では、図１７に示すようにブラシ体８ｆは、所定幅を有する楕円形状のフェルト片１７を、芯体７ｄの軸心に対して傾斜させて芯体７ｄに圧入することにより、フェルト片１７の平面形状がハの字状になるように構成されている。また、隣り合うフェルト片１７の長径上の外周縁部は、全て同じ方向を向くと共に、フェルト片１７の長径上の外周縁部が床面に接地するようになっている。
【００５４】
第７実施形態はこのように構成されているため、絨毯等を掃除しても絨毯等に付着していた髪の毛や糸くずがブラシ体８ｆに絡み付くことはない。また、帯状の状態ではコジが弱いフェルトを、所定幅を有する塊状のフェルト片１７にすることによりコシを強くすることができ、十分に絨毯等からごみを掻き取ることができる。
【００５５】
また、床面に接地する部分はフェルトであるためブラシ体８ｆにより床面を磨き上げることができ、床面がクレヨン等の落書きにより汚れている場合でも、回転ブラシ４ｆを回転させるだけで床面を磨き上げることができる。
また、フェルト片１７を、芯体７ｄの軸心に対して傾斜させて芯体７ｄに圧入しているため、各フェルト片１７の長径上の外周縁部の稜線部のみが床面に接地するだけであるので、フェルト片１７が床面に接地する際に発生する騒音を低減させることができると共に、回転ブラシ４ｆを回転させるモータの負荷を低減させることができる。
【００５６】
また、フェルト片１７を芯体７ｄに対して傾斜させて取り付けているため、回転ブラシ４ｆの回転によりフェルト片１７の床面に接地する位置が絶えず変わることにより、ごみの掻き取り効率が向上する。また、回転ブラシ４ｆの正逆の回転方向に関係なく、第１実施形態及び第２実施形態と同様な作用効果を奏することができる。
【００５７】
尚、第７実施形態においては、フェルト片１７を楕円形状に形成したが、これに限定されるものではなく、例えば、花びら形状など全周全てが床面に接地しない、非円形の形状であればよい。
【００５８】
【発明の効果】
本発明の請求項１の構成によれば、回転ブラシに毛が絡み付くことなく絨毯等のごみを掻き取ることができると共に、回転ブラシにより床面を磨き上げることができる等の効果を奏する。
【００５９】
本発明の請求項２の構成によれば、簡単な構成により回転ブラシのブラシ体を形成することができる。また、回転ブラシに毛が絡み付くことなく絨毯等のごみを掻き取ることができると共に、回転ブラシにより床面を磨き上げることができる等の効果を奏する。
【００６０】
本発明の請求項３の構成によれば、簡単な構成により回転ブラシのブラシ体を形成することができると共に、先端部と根元部との縫製が剥がれるのを防止することができる。また、回転ブラシに毛が絡み付くことなく絨毯等のごみを掻き取ることができると共に、回転ブラシにより床面を磨き上げることができる等の効果を奏する。
【００６１】
本発明の請求項４の構成によれば、回転ブラシの回転方向に関係なく、回転ブラシに毛が絡み付くことなく絨毯等のごみを掻き取ることができると共に、回転ブラシにより床面を磨き上げることができる等の効果を奏する。
【００６２】
本発明の請求項５の構成によれば、ブラシ体を簡単な構成により形成することができる。また、回転ブラシの回転方向に関係なく、回転ブラシに毛が絡み付くことなく絨毯等のごみを掻き取ることができると共に、回転ブラシにより床面を磨き上げることができる等の効果を奏する。
【００６３】
本発明の請求項６の構成によれば、フェルト製のブラシ体を単独で交換することができ、交換する部品の費用を削減することができる。また、回転ブラシに毛が絡み付くことなく絨毯等のごみを掻き取ることができると共に、回転ブラシにより床面を磨き上げることができる等の効果を奏する。
【００６４】
本発明の請求項７の構成によれば、回転ブラシの回転方向に関係なく、回転ブラシに毛が絡み付くことなく絨毯等のごみを掻き取ることができると共に、回転ブラシにより床面を磨き上げることができる等の効果を奏する。
【００６５】
本発明の請求項８の構成によれば、回転ブラシの回転方向に関係なく、回転ブラシに毛が絡み付くことなく絨毯等のごみを掻き取ることができると共に、回転ブラシにより床面を磨き上げることができる。また、フェルト片が床面に接地する際に発生する騒音を低減させることができる等の効果を奏する。
【００６６】
本発明の請求項９の構成によれば、回転ブラシの回転方向に関係なく、回転ブラシに毛が絡み付くことなく絨毯等のごみを掻き取ることができると共に、回転ブラシにより床面を磨き上げることができる。また、フェルト片が床面に接地する際に発生する騒音を低減させることができる等の効果を奏する。
【００６７】
本発明の請求項１０の構成によれば、回転ブラシの回転方向に関係なく、回転ブラシに毛が絡み付くことなく絨毯等のごみを掻き取ることができると共に、回転ブラシにより床面を磨き上げることができる。また、フェルト片が床面に接地する際に発生する騒音をさらに低減させることができる等の効果を奏する。
【００６８】
本発明の請求項１１の構成によれば、回転ブラシの回転方向に関係なく、回転ブラシに毛が絡み付くことなく絨毯等のごみを掻き取ることができると共に、回転ブラシにより床面を磨き上げることができる。また、フェルト片が床面に接地する際に発生する騒音を低減させることができると共に、ごみの掻き取り効果を向上させることができる等の効果を奏する。
【図面の簡単な説明】
【図１】本発明の電気掃除機の第１実施形態を示す床用吸込具の斜視図である。
【図２】同床用吸込具の側断面図である。
【図３】同床用吸込具の回転ブラシの側断面図で拡大した状態を示す。
【図４】同床用吸込具の回転ブラシの外観図である。
【図５】同床用吸込具の裏面図である。
【図６】本発明の電気掃除機の第２実施形態を示す床用吸込具の側断面図である。
【図７】同床用吸込具の回転ブラシの側断面図で拡大した状態を示す。
【図８】本発明の電気掃除機の第３実施形態を示す床用吸込具の側断面図である。
【図９】同床用吸込具の回転ブラシの側断面図で拡大した状態を示す。
【図１０】本発明の電気掃除機の第４実施形態を示す床用吸込具の側断面図である。
【図１１】同床用吸込具の回転ブラシの側断面図で拡大した状態を示す。
【図１２】本発明の電気掃除機の第５実施形態を示す床用吸込具の側断面図である。
【図１３】同床用吸込具の裏面図である。
【図１４】本発明の電気掃除機の第６実施形態を示す床用吸込具の側断面図である。
【図１５】同床用吸込具の裏面図である。
【図１６】本発明の電気掃除機の第７実施形態を示す床用吸込具の側断面図である。
【図１７】同回転ブラシの外観図である。
【図１８】同床用吸込具の裏面図である。
【符号の説明】
１      床用吸込具
２      吸込具ケース
３      吸込口
４      回転ブラシ
７      芯体
８      ブラシ体
【図１】
2005013525.tif 000003
【図２】
2005013525.tif 000004
【図３】
2005013525.tif 000005
【図４】
2005013525.tif 000006
【図５】
2005013525.tif 000007
【図６】
2005013525.tif 000008
【図７】
2005013525.tif 000009
【図８】
2005013525.tif 000010
【図９】
2005013525.tif 000011
【図１０】
2005013525.tif 000012
【図１１】
2005013525.tif 000013
【図１２】
2005013525.tif 000014
【図１３】
2005013525.tif 000015
【図１４】
2005013525.tif 000016
【図１５】
2005013525.tif 000017
【図１６】
2005013525.tif 000018
【図１７】
2005013525.tif 000019
【図１８】
2005013525.tif 000020